(57)【要約】【課題】主として比較的柔軟なチューブのような円形断面の被切断物を正確に切断することができる鋏を安価に提供する。【解決手段】第一作動体１と第二作動体２を支持軸３によって回動自在に軸支し、軸支位置よりも先方の第一作動体１に切刃５を備えた刃部４を形成するとともに、軸支位置よりも先方の第二作動体２に先方突出部6を形成し、この先方突出部６に被切断物を支持する支持部材7を固定する。支持部材７は合成樹脂製の成型品とし、第一作動体１の刃部４と対向する位置に刃部４の切刃５が入り込む溝8を形成し、支持部材７の上縁に切刃５の刃線方向の中間位置を下端とし支持軸方向の傾斜9aと先方への傾斜9bによってＶ字状の支持部9を形成する。【選択図】  図１
0003145878.tif 000002
【実用新案登録請求の範囲】
【請求項１】
第一作動体と第二作動体を支持軸によって回動自在に軸支し、軸支位置よりも先方の第一作動体に切刃を備えた刃部を形成するとともに、軸支位置よりも先方の第二作動体に先方突出部を形成し、該先方突出部に被切断物を支持する支持部材を固定し、
該支持部材は合成樹脂製の成型品とし、前記第一作動体の刃部と対向する位置に刃部の切刃が入り込む溝を形成するとともに、支持部材の上縁に切刃の刃線方向の中間位置を下端とし支持軸方向の傾斜と先方への傾斜によってＶ字状の支持部を形成し、該支持部に被切断物であるチューブを支持させることを特徴とするチューブ切断用鋏。
【請求項２】
支持部材は、片面に第二作動体の先方突出部の側面形状と一致する段部を側面に形成し、該段部に第二作動体の先方突出部を嵌り込ませた状態でカシメ、ビス止めなどの固定手段によって支持部材を第二作動体に固定したことを特徴とする請求項１記載のチューブ切断用鋏。
【請求項３】
支持部材の上縁を直線状に形成し、先端部分に一段高い突起部を形成し、Ｖ字状の支持部は直線状の上縁の一部を切り込んで形成したことを特徴とする請求項１又は２記載のチューブ切断用鋏。
【請求項４】
第一作動体は軸支位置よりも先方に切刃を形成しない肉厚状態の先方突出部を設け、該先方突出部に薄い平板で形成した刃板を固定するとともに、前記第一作動体の先方突出部には、第二作動体に固定した支持部材のＶ字状の支持部と対向する位置に、切断時に被切断物が衝突するのを防止する凹所を形成したことを特徴とする請求項３記載のチューブ切断用鋏。
【考案の詳細な説明】
【技術分野】
【０００１】
この考案は、主としてビニールホースなどのチューブ、その他比較的軟質の円形断面の被切断物を片手で切断するための鋏に関する考案である。
【背景技術】
【０００２】
塩化ビニール製パイプ、その他合成樹脂製のパイプは、鋸で切断するのが一般的であるが、鋏もしくは切断刃を備えたパイプ切断機によって切断することも行われている。特許文献１には、Ｖ字状の保持部を備えた作動片に、刃部を備えた作動片を軸支し、Ｖ字状に形成した保持部にパイプを保持させた状態で刃部を備えた作動片によってパイプを切断するパイプカッターが開示されている。特許文献２や３には、Ｕ字状に湾曲した管支持部にパイプを支持せた状態でラチェット機構を備えた切刃体によってパイプを切断するパイプ切断鋏の発明が開示されている。
【特許文献１】特開２００３―８０４１６号公報
【特許文献２】特開平０５―３３７２５６号公報
【特許文献３】実開平０５―４８８６６号公報
【考案の開示】
【考案が解決しようとする課題】
【０００３】
従来のパイプ切断鋏は、回動自在に軸支した第一作動体と第二作動体で構成し、第二作動体にパイプが移動しにくい形状の支持部を形成し、この支持部にパイプを支持させた状態で、第一作動体の刃部でパイプを切断するようにしている。このとき、パイプの切断には大きな力を必要とし、頑丈な構造としておく必要があるため、パイプの支持部は金属製である第二作動体そのものに形成されている。また、刃体をラチェット機構によって駆動させて大きな切断力を生み出す工夫もされている。
【０００４】
特許文献１〜３に開示される従来のパイプ切断鋏では、パイプを切断することができるように頑丈な構造としている。このようなパイプ切断鋏を用いて比較的柔軟なチューブを切断する場合、必ずしも被切断物であるチューブの位置が安定せず正確に切断することが困難な場合がある。また、金属製の第二作動体に複雑な形状構造の支持部を形成するため、全体として高価なものとなる欠点がある。
本考案は、上記従来技術の欠点に鑑み、主として比較的柔軟なチューブのような円形断面の被切断物を正確に切断することができるとともに、より安価に円形断面であるチューブなどの被切断物を切断するための鋏を提供することを目的とするものである。
【課題を解決するための手段】
【０００５】
上記目的を達成するため、請求項1記載の発明は、第一作動体１と第二作動体２を支持軸３によって回動自在に軸支し、
上記支持部材７は合成樹脂製の成型品とし、第一作動体１の刃部４と対向する位置に刃部４の切刃５が入り込む溝８を形成し、支持部材７の上縁に切刃５の刃線方向の中間位置を下端とし支持軸３方向の傾斜と先方への傾斜によってＶ字状の支持部９を形成し、この支持部９にチューブなどの被切断物Ａを支持させる。
【０００６】
請求項２記載の考案は、支持部材７の片面に第二作動体２の先方突出部６の側面形状と一致する段部10を側面に形成し、この段部10に第二作動体２の先方突出部６を嵌り込ませた状態でカシメ、ビス止めなどの固定手段によって支持部材７を第二作動体２に固定することである。
【０００７】
請求項３記載の考案は支持部材７の上縁を直線状に形成し、先端部分に一段高い突起部11を形成し、Ｖ字状の支持部９は直線状の上縁の一部を切り込んで形成することである。  請求項４記載の考案は、第一作動体１は軸支位置よりも先方に切刃を形成しない肉厚状態の先方突出部12を設け、この先方突出部12に薄い平板で形成した刃板13を固定することである。このとき、第一作動体１の先方突出部12には、第二作動体２に固定した支持部材７のＶ字状の支持部９と対向する位置に、切断時に被切断物が衝突するのを防止する凹所14を形成することである。
【考案の効果】
【０００８】
請求項１記載の考案によれば、上縁がＶ字状であって、かつ溝８を備える複雑な形状である第二作動体２の支持部構造を、第二作動体２の先方突出部６に合成樹脂製の支持部材７を固定するだけで容易に形成することができる。このとき、金属製の第二作動体２の先方突出部６の形状は単純に湾曲する、あるいは直線状の単純な形状とすることができる。  軟質の塩化ビニールやゴム製のチューブは、合成樹脂製であってＶ字状に形成される支持部材７の支持部９に安定的に支持されるため、変形し易いチューブを正確に切断することができる。
【０００９】
請求項２記載の考案によれば、合成樹脂製の支持部材７を、第二作動体２に対して確実かつ安定良く定位置に固定することができる。
【００１０】
請求項３記載の考案によれば、被切断物が薄い樹脂板などの平面的なものである場合にも、被切断物Ａが前方に逃げることなく能率的に切断することができる。
【００１１】
請求項４記載の考案によれば、第一作動体１及び第二作動体２を容易に製造することができるとともに、薄い刃板13によって柔軟な被切断物Ａの切断に適した鋭利な切刃５を実現することができる。また、薄い刃体10の突出寸法を少なくして強度を向上させると同時に、切断することができる被切断物Ａの直径を、第一作動体１の先方突出部12から突出する刃板13の突出寸法よりも大きくすることができる。
【考案を実施するための最良の形態】
【００１２】
以下、本考案に係るチューブ切断用鋏の実施形態を添付の図面に基づいて説明する。
図１〜図７は本考案の第一の実施形態を示すもので、図１は第一作動体と第二作動体を開いた状態の正面図、図２は第一作動体と第二作動体を開いた状態の背面図、図３は第一作動体と第二作動体を閉じた状態の正面図ある。
【００１３】
本考案に係るチューブ切断用鋏は、第一作動体１と第二作動体２を支持軸３によって回動自在に軸支し、軸支位置よりも先方の第一作動体に切刃５、具体的には突弧状に形成した切刃を備えた刃部４を形成している。第二作動体２には、支持軸３による軸支位置よりも先方に先方突出部６を形成し、この先方突出部６に被切断物Ａを支持する支持部材７を固定している。
第一作動体１及び第二作動体２の軸支位置よりも基方(図１の下方)は、把持部15、16とするとともに、把持部15と16の間にバネ17を介在させることによって、第一作動体１と第二作動体２を常時開放方向に付勢し、把持部15と16を握ることによって第一作動体１と第二作動体２を開閉させることができるようにしている。
【００１４】
第二作動体２の把持部16には、支持軸３に近い位置に、支持軸３方向に進退するストッパ18を配置するとともに、第一作動体１の支持軸３に近い位置に係合突起19を設けている。したがって、第一作動体１と第二作動体２を閉じた状態でストッパ18を上方(軸方向)に移動させることによって、係合突起19とストッパ18が係合し、図３に示すように作動体１と２を閉じた状態に維持することができるようにしている。
【００１５】
第二作動体２の先方突出部６に装着する支持部材７は、合成樹脂製の成型品とし、第一作動体１の切刃５と対向する位置に、切刃５が入り込む溝８を形成している。さらに、支持部材７の上縁は中間位置、すなわち対向する切刃５の刃線方向の中間位置を下端とし、支持軸３方向の傾斜9aと先方への傾斜9bによってＶ字状の支持部９を形成し、この支持部９にチューブなどの被切断物Ａを支持させるようにしている。
【００１６】
上記構成とすることによって、図４に示すように被切断物Ａが、支持部材７のＶ字状の支持部９に安定的に支持された状態で、刃部４の切刃５によって切断される。この際、図５に点線で示すように切刃５が溝８内に入り込むため、被切断物Ａに切り残しを生じることなく、確実に切断することができる。すなわち、この考案に係る鋏は、被切断物をせん断するのではなく、切刃５によって切断するものである。
【００１７】
合成樹脂製の支持部材７は、その下縁形状を第二作動体２の先方突出部形状に一致する湾曲形状とし、一方の側面を第二作動体２の先方突出部形状に一致するように切除して段部10を形成している。そして、図４、図５などから理解されるように、段部10に第二作動体２の先方突出部６を嵌り込ませた状態でピン20によって固定している。なお、段部10の前端には前壁22が、後端部外側面には係止爪23を形成し、支持部材５の安定を考慮している。図６において、21はピン20を貫通させるためのピン孔である。
【００１８】
図１〜図７に示す実施形態のチューブ切断用鋏は、例えば直径15mm〜20mm程度のホースの切断に適したものであるが、図８〜図11は小さな力で細い管やチューブを切断するのに適したチューブ切断用鋏の実施形態を示すものである。この鋏は全体として小さなものであって、第一作動体１の把持部15に二本の指を通して鋏を保持し、第二作動体２の把持部16を親指で押えるように操作して、例えば10mm未満の細いチューブを切断するために使用する。
【００１９】
図８に示す実施形態では、支持部材７の上縁を直線状に形成し、先端部分に一段高い突起部11を形成している。そして、直線状の上縁の一部を切り込んでＶ字状の支持部９を形成している。また、第一作動体１は軸支位置よりも先方に突出する部分そのものを刃部とするのではなく、軸支位置よりも先方部分を肉厚状態の先方突出部12とし、この先方突出部12に薄い平板で形成した刃板13をピン26、26によって固定している。
【００２０】
第一作動体１の先方突出部12には、第二作動体２に固定した支持部材７のＶ字状の支持部９と対向する位置に、円弧状の凹所14を形成している。これにより、図10に示すように切断時に被切断物Ａが先方突出部12に衝突するのを防止する
その他、第一作動体１の把持部15と第二作動体２の把持部16の間のバネ17としてコイルバネを採用し、把持部16の下端部に係止環24を配置し、第一作動体の把持柄15に形成したフック杆25に、前記係止環24を係合させることによって作動体の開きを防止するロック装置としている。
【００２１】
以上述べた実施形態のチューブ切断用鋏では、薄い刃板13によって比較的柔軟なチューブなどの被切断物Ａを、小さな力で鋭利に切断することができる。また、作業中に園芸用ラベルのような薄い板状物を切断する場合、支持部材７の上に被切断物を載置し、先方を突起部11に当接させた状態で切断すると、被切断物Ａが妄動する他、被切断物が先方に押し出されてしまうようなことがない。
【００２２】
本考案チューブ切断用鋏では、支持部材７を第二作動体２の先方突出部６に固定するものであるため、第二作動体には単純な形状の先方突出部を形成しておき、別に成型した複雑な形状の支持部材を固定するだけで、能率的かつ安価に製造することができる。また、支持部材の形状が異なるチューブ切断用鋏を製造する場合にも、先方突出部の形状を変えずに形状の異なる支持部材を固定することによって容易に製造することができる。
【図面の簡単な説明】
【００２３】
【図１】図１は、本考案に係るチューブ切断用鋏の実施形態を示す、第一作動体と第二作動体を開いた状態の正面図、
【図２】図２は、第一作動体と第二作動体を開いたチューブ切断用鋏の背面図、
【図３】図３は、第一作動体と第二作動体を閉じたチューブ切断用鋏の正面図、
【図４】図４は、一部を切断して示す、切断状態を示すチューブ切断用鋏の部分正面図、
【図５】図５は、図４のＶ−Ｖ線断面図、
【図６】図６は、支持部材のみの斜視図、
【図７】図７は、図６とは異なる方向から見た、支持部材のみの斜視図、
【図８】図８は、別の実施形態を示す第一作動体と第二作動体を開いたチューブ切断用鋏の正面図、
【図９】図９は、図８のチューブ切断用鋏の第一作動体と第二作動体を閉じた状態の正面図、
【図１０】図10は、図９のＸ−Ｘ線断面図、
【図１１】図11は、図８に示す実施形態の支持部材の斜視図。
【符号の説明】
【００２４】
１…第一作動体、  ２…第二作動体、  ３…支持軸、  ４…刃部、  ５…切刃、  ６…先方突出部、  ７…支持部材、  ８…溝、  ９…支持部、  9a、9b…傾斜、  10…段部、  11…突起部、  12…先方突出部、  13…刃板、  14…凹所、  15、16…把持部、  17…バネ、  18…ストッパ、  19…係合突起、  20…ピン、  21…ピン孔、  22…前壁、  23…係止爪、  24…係止環、  25…フック杆、26…ピン、  Ａ…被切断物。
【図１】
0003145878.tif 000003
【図２】
0003145878.tif 000004
【図３】
0003145878.tif 000005
【図４】
0003145878.tif 000006
【図５】
0003145878.tif 000007
【図６】
0003145878.tif 000008
【図７】
0003145878.tif 000009
【図８】
0003145878.tif 000010
【図９】
0003145878.tif 000011
【図１０】
0003145878.tif 000012
【図１１】
0003145878.tif 000013